(57)【要約】  受付部（１０１）によって取得対象コンテンツの取得に関する情報を受け付けた場合、判断部（１０２）によって取得対象コンテンツの属性を判断する。つぎに、判断部（１０２）によって判断された取得対象コンテンツの属性に基づいて、選択部（１０３）によって最適なコンテンツ提供サービス元を選択する。そして、選択部（１０３）によって選択されたコンテンツ提供サービス元から、取得部（１０４）によって取得対象コンテンツを取得する。
2008096414.tif 000002
【特許請求の範囲】
【請求項１】
複数のコンテンツ提供サービス元から所定のコンテンツを取得するコンテンツ取得装置において、
取得対象となるコンテンツ（以下「取得対象コンテンツ」という）の取得に関する情報を受け付ける受付手段と、
前記受付手段によって受け付けられた取得対象コンテンツの取得に関する情報から、当該取得対象コンテンツの属性を判断する判断手段と、
前記判断手段によって判断された前記取得対象コンテンツの属性に基づいて、最適なコンテンツ提供サービス元を選択する選択手段と、
前記選択手段によって選択されたコンテンツ提供サービス元から前記取得対象コンテンツを取得する取得手段と、
を備えることを特徴とするコンテンツ取得装置。
【請求項２】
前記受付手段は、他の装置から取得対象コンテンツの取得に関する情報を受け付けることを特徴とする請求項１に記載のコンテンツ取得装置。
【請求項３】
前記選択手段は、あらかじめ定められた属性ごとの優先順位によって最適なコンテンツ提供サービス元を選択することを特徴とする請求項１に記載のコンテンツ取得装置。
【請求項４】
前記属性は、前記取得対象コンテンツの取得に関する情報に含まれるジャンルまたはアーティストの情報であることを特徴とする請求項１に記載のコンテンツ取得装置。
【請求項５】
前記選択手段は、前記取得対象コンテンツの購入価格に基づいて、最適なコンテンツ提供サービス元を選択することを特徴とする請求項１に記載のコンテンツ取得装置。
【請求項６】
前記選択手段は、前記取得対象コンテンツを視聴または聴取する装置ごとに設定された属性や優先順位に基づいて、最適なコンテンツ提供サービス元を選択することを特徴とする請求項３に記載のコンテンツ取得装置。
【請求項７】
前記選択手段は、前記判断手段によって判断された前記取得対象コンテンツの圧縮方法や圧縮率に基づいて、最適なコンテンツ提供サービス元を選択することを特徴とする請求項６に記載のコンテンツ取得装置。
【請求項８】
前記取得手段は、前記選択手段によって選択されたコンテンツ提供サービス元から前記取得対象コンテンツを取得できない場合、前記選択手段によって当該コンテンツ提供サービス元のつぎの優先順位と判断されたコンテンツ提供サービス元から前記取得対象コンテンツを取得することを特徴とする請求項３に記載のコンテンツ取得装置。
【請求項９】
複数のコンテンツ提供サービス元から所定のコンテンツを取得するコンテンツ取得方法において、
取得対象となるコンテンツ（以下「取得対象コンテンツ」という）の取得に関する情報を受け付ける受付工程と、
前記受付工程によって受け付けられた取得対象コンテンツの取得に関する情報から、当該取得対象コンテンツの属性を判断する判断工程と、
前記判断工程によって判断された前記取得対象コンテンツの属性に基づいて、最適なコンテンツ提供サービス元を選択する選択工程と、
前記選択工程によって選択されたコンテンツ提供サービス元から前記取得対象コンテンツを取得する取得工程と、
を含むことを特徴とするコンテンツ取得方法。
【請求項１０】
請求項９に記載のコンテンツ取得方法をコンピュータに実行させることを特徴とするコンテンツ取得プログラム。
【請求項１１】
請求項１０に記載のコンテンツ取得プログラムを記録したことを特徴とするコンピュータに読み取り可能な記録媒体。
【発明の詳細な説明】
【技術分野】
【０００１】
この発明は、コンテンツの属性に基づいて、最適なコンテンツ提供サービス元からコンテンツを取得するコンテンツ取得装置、コンテンツ取得方法、コンテンツ取得プログラムおよび記録媒体に関する。ただし、この発明の利用は、上述したコンテンツ取得装置、コンテンツ取得方法、コンテンツ取得プログラムおよび記録媒体には限られない。
【背景技術】
【０００２】
従来、利用者から要求される圧縮率でコンテンツの要約を作成し、購入を希望する利用者にその圧縮されたコンテンツを配信するコンテンツ配信装置がある。このコンテンツ配信装置は、コンテンツから音声情報を分離し、この音声情報を分析して強調状態にある音声段落を抽出する。抽出した音声段落をつなぎ合わせた総延長が利用者が希望する圧縮率の範囲に入っていればそのままその音声段落と、その音声段落に対応した映像情報を要約情報として配信すると共に、抽出した音声段落をつなぎ合わせた総延長が、利用者が希望する圧縮率の範囲外である場合は、強調状態となる確率または平静状態となる確率に重み付け処理を施して再度強調状態にある音声段落の判定をおこない、最終的に利用者が希望する圧縮率の要約情報を得て、利用者に配信する（たとえば、下記特許文献１参照。）。【０００３】
【特許文献１】特開２００３−２５５９８３号公報
【発明の開示】
【発明が解決しようとする課題】
【０００４】
しかしながら、上述した特許文献１の技術では、利用者は、コンテンツの要約に関しては、希望する要約時間に圧縮して視聴することができるが、コンテンツ自身に関しては、圧縮することができない。したがって、たとえば、記録容量の少ない装置などにおいてコンテンツを購入する場合、コンテンツ自身の容量は変えられないので、装置内に多くのコンテンツを記録することができないといった問題が一例として挙げられる。また、たとえば、特定のジャンルやアーティストのコンテンツを高音質／高画質で視聴したい場合も、あらかじめ定められた音質／画質以上のコンテンツは購入することができないといった問題が一例として挙げられる。【０００５】
さらに、複数のコンテンツ配信サービス事業者がそれぞれ同じ内容のコンテンツを異なる配信方式で提供するなどのサービスがでてきており、ユーザーが同じ内容のコンテンツのサービスを受ける場合でも複数のサービスを選択できるようになってきている。しかしながら、同じ内容のコンテンツの場合、高音質／高画質になるほど購入価格が高いが、たとえば、コンテンツに対する再生能力が低い装置においてコンテンツを購入する場合、高音質／高画質のコンテンツを購入しても、コンテンツの備える性能のすべてを再生することができず、購入価格のみ高くなるため不経済であるといった問題が一例として挙げられる。また、複数のサービスを利用できたとしても、たとえば、特定のジャンルやアーティストのコンテンツを高音質／高画質で視聴したいがそれ以外のコンテンツは安価に視聴したい場合に、ジャンルやアーティストないしはコンテンツごとに簡易にサービスを選択する仕組みがなかった。
【課題を解決するための手段】
【０００６】
上述した課題を解決し、目的を達成するため、請求項１の発明にかかるコンテンツ取得装置は、複数のコンテンツ提供サービス元から所定のコンテンツを取得するコンテンツ取得装置において、取得対象となるコンテンツ（以下「取得対象コンテンツ」という）の取得に関する情報を受け付ける受付手段と、前記受付手段によって受け付けられた取得対象コンテンツの取得に関する情報から、当該取得対象コンテンツの属性を判断する判断手段と、前記判断手段によって判断された前記取得対象コンテンツの属性に基づいて、最適なコンテンツ提供サービス元を選択する選択手段と、前記選択手段によって選択されたコンテンツ提供サービス元から前記取得対象コンテンツを取得する取得手段と、を備えることを特徴とする。【０００７】
また、請求項９の発明にかかるコンテンツ取得方法は、複数のコンテンツ提供サービス元から所定のコンテンツを取得するコンテンツ取得方法において、取得対象となるコンテンツ（以下「取得対象コンテンツ」という）の取得に関する情報を受け付ける受付工程と、前記受付工程によって受け付けられた取得対象コンテンツの取得に関する情報から、当該取得対象コンテンツの属性を判断する判断工程と、前記判断工程によって判断された前記取得対象コンテンツの属性に基づいて、最適なコンテンツ提供サービス元を選択する選択工程と、前記選択工程によって選択されたコンテンツ提供サービス元から前記取得対象コンテンツを取得する取得工程と、を含むことを特徴とする。【０００８】
また、請求項１０の発明にかかるコンテンツ取得プログラムは、請求項９に記載のコンテンツ取得方法をコンピュータに実行させることを特徴とする。【０００９】
また、請求項１１の発明にかかる記録媒体は、請求項１０に記載のコンテンツ取得プログラムをコンピュータに読み取り可能な状態で記録したことを特徴とする。
【図面の簡単な説明】
【００１０】
【図１】図１は、実施の形態にかかるコンテンツ取得装置の機能的構成を示すブロック図である。
【図２】図２は、コンテンツ取得装置のコンテンツ取得処理手順を示すフローチャートである。
【図３】図３は、本実施例にかかる楽曲取得システムの概要を示す説明図である。
【図４】図４は、図３に示したコンピュータ装置のハードウェア構成の一例を示すブロック図である。
【図５】図５は、楽曲提供サービス元である各サーバに関するデータベースの一例について説明した説明図である。
【図６】図６は、購入対象コンテンツの属性による各サーバの優先順位の一例について説明した説明図である。
【図７】図７は、ＰＣの処理の内容を示すフローチャートである。
【符号の説明】
【００１１】
１００  コンテンツ取得装置
１０１  受付部
１０２  判断部
１０３  選択部
１０４  取得部
【発明を実施するための最良の形態】
【００１２】
以下に添付図面を参照して、この発明にかかるコンテンツ取得装置、コンテンツ取得方法、コンテンツ取得プログラム、および記録媒体の好適な実施の形態を詳細に説明する。【００１３】
（実施の形態）
（コンテンツ取得装置の機能的構成）
まず、この発明の実施の形態にかかるコンテンツ取得装置１００の機能的構成について説明する。図１は、実施の形態にかかるコンテンツ取得装置の機能的構成を示すブロック図である。【００１４】
図１において、コンテンツ取得装置１００は、受付部１０１と、判断部１０２と、選択部１０３と、取得部１０４と、を備えている。コンテンツ取得装置１００は、複数のコンテンツ提供サービス元から所定のコンテンツを取得する。コンテンツ提供サービス元は、コンテンツをコンテンツ取得装置１００に提供するサービス元である。コンテンツは、具体的には、たとえば、楽曲、画像、映像などである。コンテンツの提供は、通信機能ダウンロードを利用しておこなってもよいし、たとえば記録媒体に記録し郵送などで提供してもよい。【００１５】
コンテンツ提供サービス元は、具体的には、たとえば、コンテンツ販売サービス、コンテンツ・ストリーミングサービス、コンテンツ・サブスクリプションサービス、ＣＤ／ＤＶＤ販売サービスなどのサービス元である。本実施の形態においては、これら各サービスについて複数のサービスに利用者が契約していることとする。具体的には、たとえば、複数のコンテンツ販売サービスに契約しており、それぞれのコンテンツ販売サービスによってコンテンツの圧縮率や購入価格などが異なることとする。また、これら各サービスは、それぞれ有料サービスであってもよいし、無料サービスであってもよい。【００１６】
また、ここで、サブスクリプションサービスとは、たとえば、利用者が所定の契約料金を支払うことで、契約期間中に限り、利用者の再生端末などによって、所定のコンテンツ群のコンテンツのダウンロードや再生をおこなうことができるサービスである。また、サブスクリプションサービスは、ストリーミングによって再生をおこなうことができるサービスであってもよい。【００１７】
受付部１０１は、取得対象となるコンテンツ（以下「取得対象コンテンツ」という）の取得に関する情報を受け付ける。取得に関する情報は、たとえば、取得形式の情報やコンテンツを特定する特定情報などである。取得形式の情報は、たとえば、コンテンツ販売形式、ストリーミング形式、サブスクリプション形式などのうちのどの形式で取得するかを特定する情報である。また、特定情報は、具体的には、たとえば、コンテンツのタイトル名称や著作者名などのメタデ−タ、著作権ナンバーなどの楽曲ＩＤ（ＩＤｅｎｔｉｆｉｅｒ）、各サービスにおける識別ナンバーであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。【００１８】
また、受付部１０１は、他の装置から取得対象コンテンツの取得に関する情報を受け付ける。他の装置は、たとえば、コンテンツ取得装置１００を所有する利用者または利用者の家族、友人などが、その他に所有している装置であり、各サービスに登録された装置でもよい。また、他の装置は、コンテンツ取得装置１００によって管理されているとしてもよい。【００１９】
判断部１０２は、受付部１０１によって受け付けられた取得対象コンテンツの取得に関する情報から、取得対象コンテンツの属性を判断する。属性は、たとえば、取得対象コンテンツの取得に関する情報に含まれるジャンルまたはアーティストの情報である。また、属性は、取得対象コンテンツの取得に関する情報から判断できるジャンルまたはアーティストの情報であってもよい。ジャンルは、具体的には、たとえば、コンテンツが楽曲の場合、クラシックやジャズやポップスといった音楽のジャンルである。また、アーティストは、具体的には、たとえば、楽曲の作曲者、演奏者、歌手などである。また、判断部１０２は、受付部１０１によって受け付けられた取得対象コンテンツの取得に関する情報から、取得対象コンテンツの圧縮方法や圧縮率を判断してもよい。【００２０】
選択部１０３は、判断部１０２によって判断された取得対象コンテンツの属性に基づいて、最適なコンテンツ提供サービス元を選択する。また、選択部１０３は、あらかじめ定められた属性ごとの優先順位によって最適なコンテンツ提供サービス元を選択してもよい。優先順位は、選択部１０３によってコンテンツ提供サービス元を選択する順番であり、具体的には、たとえば、ジャンルがクラシックやジャズの場合、音質のよい順にコンテンツ提供サービス元の優先順位を高くする。また、たとえば、特定のアーティストの場合、ＣＤを購入するサービス元の優先順位を高くしてもよい。【００２１】
さらに、選択部１０３は、取得対象コンテンツの購入価格に基づいて、最適なコンテンツ提供サービス元を選択してもよい。具体的には、たとえば、取得形式が販売形式の場合、購入価格の安い順に優先順位を高くしてもよい。【００２２】
また、選択部１０３は、取得対象コンテンツを視聴または聴取する装置ごとに設定された属性や優先順位に基づいて、最適なコンテンツ提供サービス元を選択してもよい。視聴または聴取する装置は、受付部１０１によって取得対象コンテンツの取得に関する情報を受け付けた他の装置でもよい。また、装置ごとに設定された属性や優先順位は、取得に関する情報の中に設定されていてもよい。具体的には、たとえば、視聴または聴取する装置がＰＣ、ナビゲーション装置、再生端末、携帯電話などによって、それぞれ優先順位が設定されていてもよい。また、視聴または聴取する装置それぞれに専用のコンテンツ提供サービス元があってもよい。【００２３】
さらに、選択部１０３は、判断部１０２によって判断された取得対象コンテンツの圧縮方法や圧縮率に基づいて、最適なコンテンツ提供サービス元を選択してもよい。具体的には、たとえば、視聴または聴取する装置によって記録媒体の記録容量や利用できる通信手段が異なる場合など、記録容量が少ない装置や低速度の通信手段を利用する場合に対しては、圧縮率の高いコンテンツを提供するサービス元の優先順位を高くする。また、各装置ごとに視聴または聴取可能な圧縮方法のコンテンツを提供するサービス元の中から選択してもよい。【００２４】
取得部１０４は、選択部１０３によって選択されたコンテンツ提供サービス元から取得対象コンテンツを取得する。また、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得する。このように、たとえば、優先順位の高いサービス元から順に取得対象コンテンツを検索し、取得対象コンテンツを提供しているサービス元があった時点で、取得対象コンテンツを取得する。【００２５】
（コンテンツ取得装置のコンテンツ取得処理手順）
つぎに、コンテンツ取得装置１００のコンテンツ取得処理手順について説明する。図２は、コンテンツ取得装置のコンテンツ取得処理手順を示すフローチャートである。図２のフローチャートにおいて、まず、受付部１０１によって取得対象コンテンツの取得に関する情報を受け付けるまで待機する（ステップＳ２０１：Ｎｏのループ）。【００２６】
ステップＳ２０１において取得対象コンテンツの取得に関する情報を受け付けた場合（ステップＳ２０１：Ｙｅｓ）、判断部１０２によって取得対象コンテンツの属性を判断する（ステップＳ２０２）。つぎに、ステップＳ２０２において判断された取得対象コンテンツの属性に基づいて、選択部１０３によって最適なコンテンツ提供サービス元を選択する（ステップＳ２０３）。そして、ステップＳ２０３において選択されたコンテンツ提供サービス元から、取得部１０４によって取得対象コンテンツを取得して（ステップＳ２０４）、一連の処理を終了する。【００２７】
なお、図２のフローチャートにおいては、ステップＳ２０１において取得対象コンテンツの取得に関する情報を受け付けたか否かを判断するとしているが、取得対象コンテンツの取得に関する情報は、自装置の入力デバイスなどの操作の入力によって受け付けてもよいし、他の装置から受け付けてもよい。【００２８】
また、図２のフローチャートにおいては、ステップＳ２０２において取得対象コンテンツの属性を判断するとしているが、これに限るものではない。具体的には、たとえば、取得対象コンテンツを視聴または聴取予定の装置を判断してもよい。また、たとえば、特定のアーティストか否かを判断してもよい。【００２９】
また、図２のフローチャートにおいては、ステップＳ２０３において、取得対象コンテンツの属性に基づいて、最適なコンテンツ提供サービス元を選択するとしているが、これに限るものではない。具体的には、たとえば、視聴または聴取予定の装置に基づいて選択してもよいし、両者に基づいて選択してもよい。また、コンテンツ提供サービス元が３つ以上ある場合は、それぞれに優先順位を付けてもよい。さらに、特定のアーティストの場合は、例外的な優先順位にしてもよい。より具体的には、特定のアーティストの場合は、ＣＤ販売サービス元を選択してもよい。【００３０】
また、図２のフローチャートにおいては、ステップＳ２０４において、取得対象コンテンツを取得するとしているが、たとえば、ステップＳ２０３において選択されたコンテンツ提供サービス元から、何らかの事情で取得できない場合、つぎに優先順位の高いコンテンツ提供サービス元から取得対象コンテンツを取得してもよい。【００３１】
上述したように、本実施の形態のコンテンツ取得装置１００によれば、受付部１０１によって受け付けられた取得対象コンテンツの取得に関する情報から、判断部１０２によって取得対象コンテンツの属性を判断し、判断された取得対象コンテンツの属性に基づいて、選択部１０３によって最適なコンテンツ提供サービス元を選択する。そして、選択部１０３によって選択されたコンテンツ提供サービス元から、取得部１０４によって取得対象コンテンツを取得する。したがって、複数のコンテンツ提供サービス元の中から、取得対象コンテンツの属性に基づいた、最適なコンテンツ提供サービス元からコンテンツを取得することができる。これによって、利用者は、たとえば、自身でそれぞれのサービスの比較をしなくても、コンテンツのジャンルなどによって、最適なサービス元からダウンロードすることができるため、簡単にコンテンツを取得できる。【００３２】
また、本実施の形態のコンテンツ取得装置１００によれば、受付部１０１によって他の装置から取得対象コンテンツの取得に関する情報を受け付けることができる。したがって、ナビゲーション装置などの直接サーバなどからコンテンツの取得をおこなわない装置においても購入要求をすることができる。これによって、利用者は、たとえば、車両によって移動中に取得したいコンテンツが見つかっても、コンテンツを取得することができるため、あとで、曲名などがわからなく、コンテンツの取得ができなくなることが無くなり、簡単にコンテンツを取得できる。【００３３】
また、本実施の形態のコンテンツ取得装置１００によれば、選択部１０３は、あらかじめ定められた属性ごとの優先順位によって最適なコンテンツ提供サービス元を選択することができる。したがって、取得対象コンテンツの属性ごとに設定された優先順位によって最適なコンテンツ提供サービス元から順番付けることができる。これによって、利用者は、たとえば、最適なコンテンツ提供サービス元からコンテンツを取得できない場合、つぎに最適なコンテンツ提供サービス元からコンテンツを取得することができるため、取得対象コンテンツの含まれるコンテンツ提供サービス元の中で、最適なコンテンツ提供サービス元からコンテンツを取得することができる。【００３４】
また、本実施の形態のコンテンツ取得装置１００によれば、判断部１０２によって取得対象コンテンツの属性を、取得対象コンテンツの取得に関する情報に含まれるジャンルまたはアーティストの情報によって判断することができる。したがって、たとえば、特定のジャンルや特定のアーティストの場合、特異な優先順位を設定することができる。これによって、利用者は、たとえば、特に気に入っているジャンルやアーティストに関しては、高音質のコンテンツを取得したり、ＣＤ／ＤＶＤなどの購入によって取得したりすることができる。【００３５】
また、本実施の形態のコンテンツ取得装置１００によれば、選択部１０３によって取得対象コンテンツの購入価格に基づいて、最適なコンテンツ提供サービス元を選択することができる。したがって、同じコンテンツの中で、最も価格の安いコンテンツを購入することができる。これによって、利用者は、たとえば、ポップスなどしばらくの間のみ聴取したいコンテンツなどを、安価で購入することができる。また、コンテンツ取得装置１００は、価格に応じた配信方法を選択することもできる。具体的には、コンテンツをダウンロードして購入する配信方式よりも所定の料金を支払ってコンテンツをストリーミングにより視聴する配信方式の方が安価であったり、無料のストリーミングサービスがあれば、ストリーミングにより視聴する配信方式を選択するようにしてもよい。【００３６】
また、本実施の形態のコンテンツ取得装置１００によれば、選択部１０３によって取得対象コンテンツを視聴または聴取する装置ごとに設定された属性や優先順位に基づいて、最適なコンテンツ提供サービス元を選択することができる。したがって、たとえば、視聴または聴取する装置ごとに再生能力が異なる場合、再生能力に合致したコンテンツを取得することができる。これによって、利用者は、たとえば、装置の再生能力では再生しきれない高音質のコンテンツを取得せず、購入価格や記録容量を節約することができる。【００３７】
また、本実施の形態のコンテンツ取得装置１００によれば、判断部１０２によって判断された取得対象コンテンツの圧縮方法や圧縮率に基づいて、選択部１０３によって最適なコンテンツ提供サービス元を選択することができる。したがって、たとえば、視聴または聴取する装置ごとに記録容量が異なる場合、装置ごとの記録容量に合致した圧縮率のコンテンツを取得することができる。これによって、利用者は、記録容量の少ない装置においても、多くのコンテンツを記録することができるため、快適にコンテンツを楽しむことができる。【００３８】
また、本実施の形態のコンテンツ取得装置１００によれば、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得することができる。したがって、優先順位にしたがって順に取得対象コンテンツを含むコンテンツ提供サービス元を探すことができる。これによって、利用者は、取得対象コンテンツの含まれるコンテンツ提供サービス元の中で、最適なコンテンツ提供サービス元からコンテンツを取得することができる。
【実施例】
【００３９】
以下に、本発明の実施例について説明する。本実施例では、たとえば、家などにあり、通信環境の整ったＰＣなどによって、本発明のコンテンツ取得装置を実施した場合の一例について説明する。【００４０】
（楽曲取得システムの概要）
まず、図３を用いて、本実施例にかかるコンテンツの取得の一例として楽曲を取得する楽曲取得システムの概要について説明する。図３は、本実施例にかかる楽曲取得システムの概要を示す説明図である。【００４１】
図３において、楽曲取得システム３００は、楽曲提供サービス元である各サーバ（Ａサーバ３０１、Ｂサーバ３０２、Ｃサーバ３０３）と、ＰＣ３０４と、ナビゲーション装置３０５と、から構成されている。Ａサーバ３０１と、Ｂサーバ３０２と、Ｃサーバ３０３と、ＰＣ３０４と、ナビゲーション装置３０５とは、それぞれインターネット３１０を介して接続されており、ＰＣ３０４と、ナビゲーション装置３０５とは、有線で接続されてもよい。また、ＰＣ３０４と、ナビゲーション装置３０５とは、それぞれ同一の利用者が所有していることとする。【００４２】
なお、図３の説明においては、ＰＣ３０４と、ナビゲーション装置３０５とは、同一の利用者が所有することとしたが、それぞれ異なっていてもよく、その場合、それぞれが友人や家族など利用者によって把握可能な所有としてもよい。また、図３の説明においては、ＰＣ３０４は、楽曲提供サービス元である各サービスから楽曲の取得可能な装置とし、ナビゲーション装置３０５は、ＰＣ３０４を介して楽曲の取得ができる装置とする。さらに、ＰＣ３０４は、通信環境の整った装置であり、ナビゲーション装置３０５は、通信環境が不安定な装置であるとする。【００４３】
楽曲提供サービス元である各サービスは、たとえば、それぞれサービスの種類が異なっていてもよい。具体的には、たとえば、Ａサーバ３０１がサブスクリプションサービスサーバ、Ｂサーバ３０２がコンテンツ販売サービスサーバ、Ｃサーバ３０３がＣＤ販売サービスサーバなどというように、異なるサービスを提供するサーバでもよい。また、各サーバは、たとえば、それぞれが異なる事業者によって提供されている同種類のサービスでもよい。具体的には、たとえば、Ａサーバ３０１、Ｂサーバ３０２、Ｃサーバ３０３がすべてコンテンツ販売サービスを提供しており、それぞれが異なる事業者のため同楽曲でも価格、圧縮方法、圧縮率、音質が異なることとしてもよい。【００４４】
また、楽曲提供サービス元である各サービスは、利用者との間における、所定の楽曲の提供に関する契約に基づいて、利用者の所有するＰＣ３０４へ楽曲を提供してもよい。また、提供された楽曲には複製を許可する情報や、複製数を制限する情報が付与されていてもよい。そして、楽曲を取得したＰＣ３０４は、許可された複製数内であれば複製を生成し、他の端末に対して複製を送信することができるとしてもよい。また、複製は、許可された複製数内であれば、元の楽曲からだけでなく、複製から生成してもよい。【００４５】
ＰＣ３０４は、家などの通信環境が整った場所にあり、楽曲の取得要求を受け付けると、ネットワークを介してサーバから楽曲を取得する。楽曲の取得は、たとえば、自装置の備える入力デバイスなどによる利用者の操作により、取得要求を受け付ける。または、他の装置、たとえば、ナビゲーション装置３０５などから取得要求を受け付けてもよい。本発明においては、ＰＣ３０４によって楽曲を取得する際に、楽曲を提供している様なサーバから、楽曲や聴取する装置に応じた最適なサービスを提供しているサーバを選択し、このサーバから優先的に楽曲を取得する方法を説明する。【００４６】
ナビゲーション装置３０５は、車両など移動体に搭載されており、車両の経路誘導などをおこなう他に、記録媒体に記録された楽曲の再生をおこなう。ナビゲーション装置３０５は、たとえば、楽曲の再生中などに購入したい楽曲があった場合、入力デバイスなどの操作により、ＰＣ３０４へ購入対象楽曲の特定情報および購入要求を送信する。また、たとえば、通信ができない場合は、購入対象楽曲の特定情報および購入要求を記録しておき、通信可能になったときに送信するか、ＰＣ３０４に有線で接続することで送信する。【００４７】
（コンピュータ装置のハードウェア構成）
つぎに、図４を用いて、図３に示した楽曲提供サービス元である各サーバ（Ａサーバ３０１、Ｂサーバ３０２、Ｃサーバ３０３）やＰＣ３０４などのコンピュータ装置のハードウェア構成について説明する。図４は、図３に示したコンピュータ装置のハードウェア構成の一例を示すブロック図である。【００４８】
図４において、コンピュータ装置は、それぞれＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、を備えている。また、各構成部４０１〜４１４はバス４２０によってそれぞれ接続されている。【００４９】
まず、ＣＰＵ４０１は、コンピュータ装置の全体の制御を司る。ＲＯＭ４０２は、ブートプログラム、通信プログラム、データ管理プログラム、有効期間設定プログラムなどの各種プログラムを記録している。また、ＲＡＭ４０３は、ＣＰＵ４０１のワークエリアとして使用される。【００５０】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。【００５１】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。【００５２】
音声Ｉ／Ｆ４０８は、音声入力用のマイク４１０および音声出力用のスピーカ４１０に接続される。マイク４０９に受音された音声は、音声Ｉ／Ｆ４０８内でＡ／Ｄ変換される。スピーカ４１０からは、音声が出力される。【００５３】
入力デバイス４１１は、文字、数値、各種指示などの入力のための複数のキーを備えたリモコン、キーボード、マウス、タッチパネルなどが挙げられる。【００５４】
映像Ｉ／Ｆ４１２は、ディスプレイ４１３と接続される。映像Ｉ／Ｆ４１２は、具体的には、たとえば、ディスプレイ４１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１３を表示制御する制御ＩＣなどによって構成される。【００５５】
ディスプレイ４１３には、アイコン、カーソル、メニュー、ウインドウ、あるいは文字や画像などの各種データが表示される。このディスプレイ４１３は、たとえば、ＣＲＴ、ＴＦＴ液晶ディスプレイ、プラズマディスプレイなどを採用することができる。【００５６】
通信Ｉ／Ｆ４１４は、無線を介してネットワークに接続され、楽曲提供サービス元である各サーバまたはＰＣ３０４と、ＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。【００５７】
通信網には、ＬＡＮ、ＷＡＮ、公衆回線網や携帯電話網などがある。具体的には、通信Ｉ／Ｆ４１４は、たとえば、ＦＭチューナーなどによって構成される。【００５８】
図１に示したコンテンツ取得装置１００が備える受付部１０１、判断部１０２、選択部１０３、取得部１０４は、図４に示したＰＣ３０４におけるＲＯＭ４０２、ＲＡＭ４０３、磁気ディスク４０５、光ディスク４０７などに記録されたプログラムやデータを用いて、ＣＰＵ４０１が所定のプログラムを実行し、ＰＣ３０４における各部を制御することによってその機能を実現する。【００５９】
すなわち、本実施例のＰＣ３０４は、ＰＣ３０４おける記録媒体としてのＲＯＭ４０２に記録されているコンテンツ更新管理プログラムを実行することにより、図１に示したコンテンツ取得装置１００が備える機能を、図２に示したコンテンツ取得処理手順で実行することができる。【００６０】
（ナビゲーション装置のハードウェア構成）
つぎに、ナビゲーション装置３０５のハードウェア構成について説明する。ナビゲーション装置３０５のハードウェア構成は、ＧＰＳユニットと、各種センサと、カメラと、を備えている点で図４に示したコンピュータ装置と異なる。なお、ナビゲーション装置３０５のハードウェア構成については、コンピュータ装置のハードウェア構成と異なる点のみ図示せず説明して、同一部分の説明は省略する。【００６１】
ＧＰＳユニットは、ＧＰＳ衛星からの電波を受信し、車両の現在位置を示す情報を出力する。ＧＰＳユニットの出力情報は、後述する各種センサの出力値とともに、ＣＰＵ４０１による車両の現在位置の算出に際して利用される。現在位置を示す情報は、たとえば緯度・経度、高度などの、地図データ上の１点を特定する情報である。【００６２】
各種センサは、車速センサ、加速度センサ、角速度センサなどの、車両の位置や挙動を判断するための情報を出力する。各種センサの出力値は、ＣＰＵ４０１による車両の現在位置の算出や、速度や方位の変化量の算出に用いられる。【００６３】
カメラは、車両内部あるいは外部の映像を撮影する。映像は静止画あるいは動画のどちらでもよく、たとえば、カメラによって車両内部の搭乗者の挙動を撮影し、撮影した映像を映像Ｉ／Ｆ４１２を介して磁気ディスク４０５や光ディスク４０７などの記録媒体に出力する。また、カメラによって車両外部の状況を撮影し、撮影した映像を映像Ｉ／Ｆ４１２を介して磁気ディスク４０５や光ディスク４０７などの記録媒体に出力する。また、カメラは、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。【００６４】
（楽曲提供サービス元である各サーバに関するデータベースの一例）
つぎに、図５を用いて、楽曲提供サービス元である各サーバの一例について説明する。図５は、楽曲提供サービス元である各サーバに関するデータベースの一例について説明した説明図である。図５においては、楽曲提供サービス元である各サーバ（Ａサーバ３０１、Ｂサーバ３０２、Ｃサーバ３０３）は、異なる事業者によるコンテンツ販売サービスを提供していることとする。図５に示した楽曲提供サービス元である各サーバに関するデータベース５００は、価格欄５０１と、圧縮率欄５０２と、音質欄５０３と、を含んでいる。【００６５】
価格欄５０１は、各サーバにおける購入対象となる購入対象楽曲に対する価格の情報を示している。価格欄５０１の情報は、１曲あたりの価格の情報でもよいし、取得対象楽曲に特化した価格の情報でもよい。また、複数の楽曲を同時に購入する場合は、曲数に応じた割引などを考慮した情報でもよい。データベース５００においては、Ａサーバ３０１の提供する楽曲の価格が最も高く、「高」が記録されている。そして、つぎに価格の高いＢサーバ３０２には、「中」が記録され、最も価格の安いＣサーバ３０３には、「低」が記録されている。【００６６】
圧縮率欄５０２は、各サーバにおける購入対象楽曲の圧縮率の情報を示している。圧縮率は、たとえば、圧縮率が低い低圧縮率の場合、楽曲データの容量は大きくなる。また、圧縮率に加え圧縮方法を考慮してもよい。データベース５００においては、Ａサーバ３０１の圧縮率が最も低く、「低圧縮」が記録されている。そして、つぎに圧縮率の低いＢサーバ３０２には、「中圧縮」が記録され、最も圧縮率の高いＣサーバ３０３には、「高圧縮」が記録されている。【００６７】
音質欄５０３は、各サーバにおける購入対象楽曲の音質の情報を示している。音質欄５０３は、たとえば、提供するコンテンツが映像情報の場合、音質に加え画質を考慮してもよい。データベース５００においては、Ａサーバ３０１の音質が最も良く、「良」が記録されている。そして、つぎに音質の良いＢサーバ３０２には、「中」が記録され、最も音質の悪いＣサーバ３０３には、「劣」が記録されている。【００６８】
なお、図５に示したデータベース５００は、たとえば、新しいコンテンツ販売サービス元を増やしたい場合は、追加することができる。データベース５００の追加は、利用者による操作の入力を受け付けてもよいし、新しいサービス元を選択したら自動的に取得するようにしてもよい。【００６９】
（購入対象コンテンツの属性による各サーバの優先順位に関するデータベースの一例）
つぎに、図６を用いて、購入対象コンテンツの属性による各サーバの優先順位に関するデータベース６００の一例について説明する。図６は、購入対象コンテンツの属性による各サーバの優先順位に関するデータベースの一例について説明した説明図である。【００７０】
図６においては、データベース６００は、楽曲のジャンル６０１および楽曲を聴取する聴取装置６０２ごとの、図５において示した各サーバの優先順位６０３を示している。優先順位６０３は、図５に示したデータベース５００に基づいて決定してもよいし、利用者によって設定可能であってもよい。また、たとえば、過去に各ジャンル６０１、各聴取装置６０２において購入した履歴を考慮してもよい。【００７１】
図６においては、たとえば、ジャンル６０１が「クラシック」または「ジャズ」の場合、音質を重視した優先順位６０３を設定する。具体的には、たとえば、図５において示したデータベース５００の音質欄５０３に基づいて、優先順位６０３を、Ａサーバ３０１、Ｂサーバ３０２、Ｃサーバ３０３の順に設定する。また、たとえば、ジャンル６０１が「ポップス」の場合、価格を重視した優先順位６０３を設定する。具体的には、たとえば、図５において示したデータベース５００の価格欄５０１に基づいて、優先順位６０３を、Ｃサーバ３０３、Ｂサーバ３０２、Ａサーバ３０１の順に設定する。【００７２】
また、たとえば、聴取装置６０２が「ＰＣ３０４」の場合、記録媒体の記録容量が多く、楽曲の再生能力も高いので、音質を重視した優先順位６０３を設定する。具体的には、たとえば、図５において示したデータベース５００の音質欄５０３に基づいて、優先順位６０３を、Ａサーバ３０１、Ｂサーバ３０２、Ｃサーバ３０３の順に設定する。また、たとえば、聴取装置６０２が「ナビゲーション装置３０５」の場合、記録媒体の記録容量が少ないので、圧縮率５０２を重視した優先順位６０３を設定する。具体的には、たとえば、図５において示したデータベース５００の圧縮率欄５０２に基づいて、優先順位６０３を、Ｃサーバ３０３、Ｂサーバ３０２、Ａサーバ３０１の順に設定する。【００７３】
（ＰＣの処理の内容）
つぎに、図７を用いて、ＰＣ３０４の処理の内容について説明する。図７は、ＰＣの処理の内容を示すフローチャートである。図７のフローチャートにおいて、まず、ナビゲーション装置３０５から通信Ｉ／Ｆ４１４を介して、購入対象楽曲に関する情報を受け付けるまで待機する（ステップＳ７０１：Ｎｏのループ）。ステップＳ７０１において、購入対象楽曲に関する情報を受け付けた場合（ステップＳ７０１：Ｙｅｓ）、入力デバイス４１１によって、購入要求を受け付けるまで待機する（ステップＳ７０２：Ｎｏのループ）。【００７４】
ステップＳ７０２において、購入要求を受け付けた場合（ステップＳ７０２：Ｙｅｓ）、購入対象楽曲のジャンルを判断する（ステップＳ７０３）。また、ステップＳ７０２において受け付けた購入要求に基づいて、購入対象楽曲を聴取する予定の聴取装置を判断する（ステップＳ７０４）。そして、ステップＳ７０３において判断されたジャンルの情報と、ステップＳ７０４において判断された聴取装置の情報とに基づいて、楽曲提供サービスに対する優先順位を決定する（ステップＳ７０５）。【００７５】
つぎに、ステップＳ７０５において決定された優先順位によって、最適な楽曲提供サービス元のサーバを選択する（ステップＳ７０６）。そして、ステップＳ７０６において、選択されたサーバから、購入対象楽曲を取得したか否かを判断する（ステップＳ７０７）。ステップＳ７０７において、購入対象楽曲を取得していないと判断された場合（ステップＳ７０７：Ｎｏ）、ステップＳ７０６において選択されたサーバのつぎに最適な楽曲提供サービス元のサーバを選択する（ステップＳ７０８）。つぎに、ステップＳ７０７に戻り、ステップＳ７０８において選択されたつぎに最適な楽曲提供サービス元のサーバから購入対象楽曲を取得したか否かを判断する。そして、購入対象楽曲を取得するまで処理を繰り返しおこない、ステップＳ７０７において購入対象楽曲を取得したと判断された場合（ステップＳ７０７：Ｙｅｓ）、そのまま一連の処理を終了する。【００７６】
なお、図７のフローチャートにおいては、ステップＳ７０１：Ｎｏのループにおいて、ナビゲーション装置３０５から通信Ｉ／Ｆ４１４を介して、購入対象楽曲に関する情報を受け付けるまで待機するとしているが、これに限るものではない。具体的には、たとえば、自装置の入力デバイス４１１などから購入対象楽曲に関する情報を受け付けるまで待機してもよい。【００７７】
また、図７のフローチャートにおいては、ステップＳ７０２：Ｎｏのループにおいて、入力デバイス４１１によって、購入要求を受け付けるまで待機するとしているが、これに限るものではない。具体的には、たとえば、ステップＳ７０１において受け付けた購入対象楽曲に関する情報に含まれている購入要求を抽出することで、受け付けてもよい。【００７８】
また、図７のフローチャートにおいては、ステップＳ７０３において、購入対象楽曲のジャンルを判断し、ステップＳ７０４において、聴取装置を判断するとしているが、これに限るものではない。具体的には、たとえば、ステップＳ７０３またはステップＳ７０４のどちらか一方の処理をおこなえばよい。また、ステップＳ７０３およびステップＳ７０４の処理をおこなわず、特定のアーティストか否かの判断をしてもよいし、そのままステップＳ７０５へ進み、あらかじめ利用者によって定められた優先順位に決定してもよい。【００７９】
また、図７のフローチャートにおいては、ステップＳ７０７において選択された最適な楽曲提供サービス元のサーバから、購入対象楽曲を取得した否かを判断するようにしているが、これに限るものではない。たとえば、ステップＳ７０２：Ｙｅｓにおいて購入対象要求を受け付けた後に、購入対象楽曲が提供可能（取得可能）な楽曲提供サービスを検索するステップを加えるようにすれば、そのステップＳ７０７以降のステップが不要となる。つまり、ステップＳ７０５において楽曲提供サービスに対する優先順位を決定するが、その検索された楽曲提供サービスを対象として優先順位を決定するようにする。そして、ステップＳ７０６において、その決定された優先順位によって最適な楽曲提供サービスを選択するようにし、その選択された楽曲提供サービスから購入対象楽曲を取得する、というステップをさらに加えれば、決定された優先順位の高い楽曲提供サービスから購入対象楽曲が取得できることとなり、ステップＳ７０７以降のステップが不要となる。【００８０】
上述したように、本実施例のＰＣ３０４によれば、受付部１０１によって受け付けられた取得対象コンテンツの取得に関する情報から、判断部１０２によって取得対象コンテンツの属性を判断し、判断された取得対象コンテンツの属性に基づいて、選択部１０３によって最適なコンテンツ提供サービス元を選択する。そして、選択部１０３によって選択されたコンテンツ提供サービス元から、取得部１０４によって取得対象コンテンツを取得する。したがって、複数のコンテンツ提供サービス元の中から、取得対象コンテンツの属性に基づいた、最適なコンテンツ提供サービス元からコンテンツを取得することができる。これによって、利用者は、たとえば、自身でそれぞれのサービスの比較をしなくても、コンテンツのジャンルなどによって、最適なサービス元からダウンロードすることができるため、簡単にコンテンツを取得できる。【００８１】
また、本実施例のＰＣ３０４によれば、受付部１０１によって他の装置から取得対象コンテンツの取得に関する情報を受け付けることができる。したがって、ナビゲーション装置３０５などの直接サーバなどからコンテンツの取得をおこなわない装置においても購入要求をすることができる。これによって、利用者は、たとえば、車両によって移動中に取得したいコンテンツが見つかっても、コンテンツを取得することができるため、あとで、曲名などがわからなく、コンテンツの取得ができなくなることが無くなり、簡単にコンテンツを取得できる。【００８２】
また、本実施例のＰＣ３０４によれば、選択部１０３は、あらかじめ定められた属性ごとの優先順位によって最適なコンテンツ提供サービス元を選択することができる。したがって、取得対象コンテンツの属性ごとに設定された優先順位によって最適なコンテンツ提供サービス元から順番付けることができる。これによって、利用者は、たとえば、最適なコンテンツ提供サービス元からコンテンツを取得できない場合、つぎに最適なコンテンツ提供サービス元からコンテンツを取得することができるため、取得対象コンテンツの含まれるコンテンツ提供サービス元の中で、最適なコンテンツ提供サービス元からコンテンツを取得することができる。【００８３】
また、本実施例のＰＣ３０４によれば、判断部１０２によって取得対象コンテンツの属性を、取得対象コンテンツの取得に関する情報に含まれるジャンルまたはアーティストの情報によって判断することができる。したがって、たとえば、特定のジャンルや特定のアーティストの場合、特異な優先順位を設定することができる。これによって、利用者は、たとえば、特に気に入っているジャンルやアーティストに関しては、高音質のコンテンツを取得したり、ＣＤ／ＤＶＤなどの購入によって取得したりすることができる。【００８４】
また、本実施例のＰＣ３０４によれば、選択部１０３によって取得対象コンテンツの購入価格に基づいて、最適なコンテンツ提供サービス元を選択することができる。したがって、同じコンテンツの中で、最も価格の安いコンテンツを購入することができる。これによって、利用者は、たとえば、ポップスなどしばらくの間のみ聴取したいコンテンツなどを、安価で購入することができる。【００８５】
また、本実施例のＰＣ３０４によれば、選択部１０３によって取得対象コンテンツを視聴または聴取する装置ごとに設定された属性や優先順位に基づいて、最適なコンテンツ提供サービス元を選択することができる。したがって、たとえば、視聴または聴取する装置ごとに再生能力が異なる場合、再生能力に合致したコンテンツを取得することができる。これによって、利用者は、たとえば、装置の再生能力では再生しきれない高音質のコンテンツを取得せず、購入価格や記録容量を節約することができる。【００８６】
また、本実施例のＰＣ３０４によれば、判断部１０２によって判断された取得対象コンテンツの圧縮方法や圧縮率に基づいて、選択部１０３によって最適なコンテンツ提供サービス元を選択することができる。したがって、たとえば、視聴または聴取する装置ごとに記録容量が異なる場合、装置ごとの記録容量に合致した圧縮率のコンテンツを取得することができる。これによって、利用者は、記録容量の少ない装置においても、多くのコンテンツを記録することができるため、快適にコンテンツを楽しむことができる。【００８７】
また、本実施例のＰＣ３０４によれば、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得することができる。したがって、優先順位にしたがって順に取得対象コンテンツを含むコンテンツ提供サービス元を探すことができる。これによって、利用者は、取得対象コンテンツの含まれるコンテンツ提供サービス元の中で、最適なコンテンツ提供サービス元からコンテンツを取得することができる。【００８８】
以上説明したように、本発明のコンテンツ取得装置、コンテンツ取得方法、コンテンツ取得プログラム、および記録媒体によれば、ＰＣ３０４において、購入対象楽曲の購入要求を受け付けた場合、楽曲のジャンルや楽曲を聴取する装置の属性に応じて、最適な楽曲提供サービスサーバから順に購入対象楽曲を取得していくことができる。これによって、利用者は、自身で複数の楽曲提供サービスサーバの検証をおこなわなくても、楽曲や装置の属性に合致した最適な音質または価格の楽曲を購入することができるため、検証の手間が省け、快適に楽曲の購入をおこなうことができる。【００８９】
なお、本実施の形態で説明したコンテンツ取得方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008096414.tif 000003
【図２】
2008096414.tif 000004
【図３】
2008096414.tif 000005
【図４】
2008096414.tif 000006
【図５】
2008096414.tif 000007
【図６】
2008096414.tif 000008
【図７】
2008096414.tif 000009
【手続補正書】
【提出日】平成21年5月28日(2009.5.28)
【手続補正１】
【補正対象書類名】明細書
【補正対象項目名】全文
【補正方法】変更
【補正の内容】
【発明の詳細な説明】
【技術分野】
【０００１】
この発明は、コンテンツの属性に基づいて、最適なコンテンツ提供サービス元からコンテンツを取得するコンテンツ取得装置、コンテンツ取得方法、コンテンツ取得プログラムおよび記録媒体に関する。ただし、この発明の利用は、上述したコンテンツ取得装置、コンテンツ取得方法、コンテンツ取得プログラムおよび記録媒体には限られない。
【背景技術】
【０００２】
従来、利用者から要求される圧縮率でコンテンツの要約を作成し、購入を希望する利用者にその圧縮されたコンテンツを配信するコンテンツ配信装置がある。このコンテンツ配信装置は、コンテンツから音声情報を分離し、この音声情報を分析して強調状態にある音声段落を抽出する。抽出した音声段落をつなぎ合わせた総延長が利用者が希望する圧縮率の範囲に入っていればそのままその音声段落と、その音声段落に対応した映像情報を要約情報として配信すると共に、抽出した音声段落をつなぎ合わせた総延長が、利用者が希望する圧縮率の範囲外である場合は、強調状態となる確率または平静状態となる確率に重み付け処理を施して再度強調状態にある音声段落の判定をおこない、最終的に利用者が希望する圧縮率の要約情報を得て、利用者に配信する（たとえば、下記特許文献１参照。）。
【先行技術文献】
【特許文献】
【０００３】
【特許文献１】特開２００３−２５５９８３号公報
【発明の概要】
【発明が解決しようとする課題】
【０００４】
しかしながら、上述した特許文献１の技術では、利用者は、コンテンツの要約に関しては、希望する要約時間に圧縮して視聴することができるが、コンテンツ自身に関しては、圧縮することができない。したがって、たとえば、記録容量の少ない装置などにおいてコンテンツを購入する場合、コンテンツ自身の容量は変えられないので、装置内に多くのコンテンツを記録することができないといった問題が一例として挙げられる。また、たとえば、特定のジャンルやアーティストのコンテンツを高音質／高画質で視聴したい場合も、あらかじめ定められた音質／画質以上のコンテンツは購入することができないといった問題が一例として挙げられる。
【０００５】
さらに、複数のコンテンツ配信サービス事業者がそれぞれ同じ内容のコンテンツを異なる配信方式で提供するなどのサービスがでてきており、ユーザーが同じ内容のコンテンツのサービスを受ける場合でも複数のサービスを選択できるようになってきている。しかしながら、同じ内容のコンテンツの場合、高音質／高画質になるほど購入価格が高いが、たとえば、コンテンツに対する再生能力が低い装置においてコンテンツを購入する場合、高音質／高画質のコンテンツを購入しても、コンテンツの備える性能のすべてを再生することができず、購入価格のみ高くなるため不経済であるといった問題が一例として挙げられる。また、複数のサービスを利用できたとしても、たとえば、特定のジャンルやアーティストのコンテンツを高音質／高画質で視聴したいがそれ以外のコンテンツは安価に視聴したい場合に、ジャンルやアーティストないしはコンテンツごとに簡易にサービスを選択する仕組みがなかった。
【課題を解決するための手段】
【０００６】
上述した課題を解決し、目的を達成するため、請求項１の発明にかかるコンテンツ取得装置は、同じコンテンツであっても当該コンテンツに対する購入価格、圧縮率ならびに音質（以下、これらをまとめて「コンテンツ販売情報」という）が互いに異なるコンテンツ販売サービスを提供する複数のコンテンツ提供サービス元のいずれかから所定のコンテンツを取得するコンテンツ取得装置において、取得対象となるコンテンツ（以下、「取得対象コンテンツ」という）を特定する特定情報を受け付ける受付手段と、前記受付手段によって受け付けられた特定情報から前記取得対象コンテンツの属性を判断する判断手段と、前記判断手段によって判断された属性と前記コンテンツ販売情報とに基づき、ユーザに対し前記複数のコンテンツ提供サービス元から前記取得対象コンテンツを取得するコンテンツ提供サービス元を選択させる選択手段と、前記選択手段を用いて前記ユーザにより選択されたコンテンツ提供サービス元から前記取得対象コンテンツを取得する取得手段と、を備えることを特徴とする。
【０００７】
また、請求項８の発明にかかるコンテンツ取得方法は、同じコンテンツであっても当該コンテンツに対する購入価格、圧縮率ならびに音質（以下、これらをまとめて「コンテンツ販売情報」という）が互いに異なるコンテンツ販売サービスを提供する複数のコンテンツ提供サービス元のいずれかから所定のコンテンツを取得するコンテンツ取得方法において、取得対象となるコンテンツ（以下、「取得対象コンテンツ」という）を特定する特定情報を受け付ける受付工程と、前記受付工程によって受け付けられた特定情報から前記取得対象コンテンツの属性を判断する判断工程と、前記判断工程によって判断された属性と前記コンテンツ販売情報とに基づき、ユーザに対し前記複数のコンテンツ提供サービス元から前記取得対象コンテンツを取得するコンテンツ提供サービス元を選択させる選択工程と、前記選択工程を用いて前記ユーザにより選択されたコンテンツ提供サービス元から前記取得対象コンテンツを取得する取得工程と、を含むことを特徴とする。
【０００８】
また、請求項９の発明にかかるコンテンツ取得プログラムは、請求項８に記載のコンテンツ取得方法をコンピュータに実行させることを特徴とする。
【０００９】
また、請求項１０の発明にかかる記録媒体は、請求項９に記載のコンテンツ取得プログラムをコンピュータに読み取り可能な状態で記録したことを特徴とする。
【図面の簡単な説明】
【００１０】
【図１】実施の形態にかかるコンテンツ取得装置の機能的構成を示すブロック図である。
【図２】コンテンツ取得装置のコンテンツ取得処理手順を示すフローチャートである。
【図３】本実施例にかかる楽曲取得システムの概要を示す説明図である。
【図４】図３に示したコンピュータ装置のハードウェア構成の一例を示すブロック図である。
【図５】楽曲提供サービス元である各サーバに関するデータベースの一例について説明した説明図である。
【図６】購入対象コンテンツの属性による各サーバの優先順位の一例について説明した説明図である。
【図７】ＰＣの処理の内容を示すフローチャートである。
【発明を実施するための形態】
【００１１】
以下に添付図面を参照して、この発明にかかるコンテンツ取得装置、コンテンツ取得方法、コンテンツ取得プログラム、および記録媒体の好適な実施の形態を詳細に説明する。
【００１２】
（実施の形態）
（コンテンツ取得装置の機能的構成）
まず、この発明の実施の形態にかかるコンテンツ取得装置１００の機能的構成について説明する。図１は、実施の形態にかかるコンテンツ取得装置の機能的構成を示すブロック図である。
【００１３】
図１において、コンテンツ取得装置１００は、受付部１０１と、判断部１０２と、選択部１０３と、取得部１０４と、を備えている。コンテンツ取得装置１００は、複数のコンテンツ提供サービス元から所定のコンテンツを取得する。コンテンツ提供サービス元は、コンテンツをコンテンツ取得装置１００に提供するサービス元である。コンテンツは、具体的には、たとえば、楽曲、画像、映像などである。コンテンツの提供は、通信機能ダウンロードを利用しておこなってもよいし、たとえば記録媒体に記録し郵送などで提供してもよい。
【００１４】
コンテンツ提供サービス元は、具体的には、たとえば、コンテンツ販売サービス、コンテンツ・ストリーミングサービス、コンテンツ・サブスクリプションサービス、ＣＤ／ＤＶＤ販売サービスなどのサービス元である。本実施の形態においては、これら各サービスについて複数のサービスに利用者が契約していることとする。具体的には、たとえば、複数のコンテンツ販売サービスに契約しており、それぞれのコンテンツ販売サービスによってコンテンツの圧縮率や購入価格などが異なることとする。また、これら各サービスは、それぞれ有料サービスであってもよいし、無料サービスであってもよい。
【００１５】
また、ここで、サブスクリプションサービスとは、たとえば、利用者が所定の契約料金を支払うことで、契約期間中に限り、利用者の再生端末などによって、所定のコンテンツ群のコンテンツのダウンロードや再生をおこなうことができるサービスである。また、サブスクリプションサービスは、ストリーミングによって再生をおこなうことができるサービスであってもよい。
【００１６】
受付部１０１は、取得対象となるコンテンツ（以下「取得対象コンテンツ」という）の取得に関する情報を受け付ける。取得に関する情報は、たとえば、取得形式の情報やコンテンツを特定する特定情報などである。取得形式の情報は、たとえば、コンテンツ販売形式、ストリーミング形式、サブスクリプション形式などのうちのどの形式で取得するかを特定する情報である。また、特定情報は、具体的には、たとえば、コンテンツのタイトル名称や著作者名などのメタデ−タ、著作権ナンバーなどの楽曲ＩＤ（ＩＤｅｎｔｉｆｉｅｒ）、各サービスにおける識別ナンバーであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【００１７】
また、受付部１０１は、他の装置から取得対象コンテンツの取得に関する情報を受け付ける。他の装置は、たとえば、コンテンツ取得装置１００を所有する利用者または利用者の家族、友人などが、その他に所有している装置であり、各サービスに登録された装置でもよい。また、他の装置は、コンテンツ取得装置１００によって管理されているとしてもよい。
【００１８】
判断部１０２は、受付部１０１によって受け付けられた取得対象コンテンツの取得に関する情報から、取得対象コンテンツの属性を判断する。属性は、たとえば、取得対象コンテンツの取得に関する情報に含まれるジャンルまたはアーティストの情報である。また、属性は、取得対象コンテンツの取得に関する情報から判断できるジャンルまたはアーティストの情報であってもよい。ジャンルは、具体的には、たとえば、コンテンツが楽曲の場合、クラシックやジャズやポップスといった音楽のジャンルである。また、アーティストは、具体的には、たとえば、楽曲の作曲者、演奏者、歌手などである。また、判断部１０２は、受付部１０１によって受け付けられた取得対象コンテンツの取得に関する情報から、取得対象コンテンツの圧縮方法や圧縮率を判断してもよい。
【００１９】
選択部１０３は、判断部１０２によって判断された取得対象コンテンツの属性に基づいて、最適なコンテンツ提供サービス元を選択する。また、選択部１０３は、あらかじめ定められた属性ごとの優先順位によって最適なコンテンツ提供サービス元を選択してもよい。優先順位は、選択部１０３によってコンテンツ提供サービス元を選択する順番であり、具体的には、たとえば、ジャンルがクラシックやジャズの場合、音質のよい順にコンテンツ提供サービス元の優先順位を高くする。また、たとえば、特定のアーティストの場合、ＣＤを購入するサービス元の優先順位を高くしてもよい。
【００２０】
さらに、選択部１０３は、取得対象コンテンツの購入価格に基づいて、最適なコンテンツ提供サービス元を選択してもよい。具体的には、たとえば、取得形式が販売形式の場合、購入価格の安い順に優先順位を高くしてもよい。
【００２１】
また、選択部１０３は、取得対象コンテンツを視聴または聴取する装置ごとに設定された属性や優先順位に基づいて、最適なコンテンツ提供サービス元を選択してもよい。視聴または聴取する装置は、受付部１０１によって取得対象コンテンツの取得に関する情報を受け付けた他の装置でもよい。また、装置ごとに設定された属性や優先順位は、取得に関する情報の中に設定されていてもよい。具体的には、たとえば、視聴または聴取する装置がＰＣ、ナビゲーション装置、再生端末、携帯電話などによって、それぞれ優先順位が設定されていてもよい。また、視聴または聴取する装置それぞれに専用のコンテンツ提供サービス元があってもよい。
【００２２】
さらに、選択部１０３は、判断部１０２によって判断された取得対象コンテンツの圧縮方法や圧縮率に基づいて、最適なコンテンツ提供サービス元を選択してもよい。具体的には、たとえば、視聴または聴取する装置によって記録媒体の記録容量や利用できる通信手段が異なる場合など、記録容量が少ない装置や低速度の通信手段を利用する場合に対しては、圧縮率の高いコンテンツを提供するサービス元の優先順位を高くする。また、各装置ごとに視聴または聴取可能な圧縮方法のコンテンツを提供するサービス元の中から選択してもよい。
【００２３】
取得部１０４は、選択部１０３によって選択されたコンテンツ提供サービス元から取得対象コンテンツを取得する。また、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得する。このように、たとえば、優先順位の高いサービス元から順に取得対象コンテンツを検索し、取得対象コンテンツを提供しているサービス元があった時点で、取得対象コンテンツを取得する。
【００２４】
（コンテンツ取得装置のコンテンツ取得処理手順）
つぎに、コンテンツ取得装置１００のコンテンツ取得処理手順について説明する。図２は、コンテンツ取得装置のコンテンツ取得処理手順を示すフローチャートである。図２のフローチャートにおいて、まず、受付部１０１によって取得対象コンテンツの取得に関する情報を受け付けるまで待機する（ステップＳ２０１：Ｎｏのループ）。
【００２５】
ステップＳ２０１において取得対象コンテンツの取得に関する情報を受け付けた場合（ステップＳ２０１：Ｙｅｓ）、判断部１０２によって取得対象コンテンツの属性を判断する（ステップＳ２０２）。つぎに、ステップＳ２０２において判断された取得対象コンテンツの属性に基づいて、選択部１０３によって最適なコンテンツ提供サービス元を選択する（ステップＳ２０３）。そして、ステップＳ２０３において選択されたコンテンツ提供サービス元から、取得部１０４によって取得対象コンテンツを取得して（ステップＳ２０４）、一連の処理を終了する。
【００２６】
なお、図２のフローチャートにおいては、ステップＳ２０１において取得対象コンテンツの取得に関する情報を受け付けたか否かを判断するとしているが、取得対象コンテンツの取得に関する情報は、自装置の入力デバイスなどの操作の入力によって受け付けてもよいし、他の装置から受け付けてもよい。
【００２７】
また、図２のフローチャートにおいては、ステップＳ２０２において取得対象コンテンツの属性を判断するとしているが、これに限るものではない。具体的には、たとえば、取得対象コンテンツを視聴または聴取予定の装置を判断してもよい。また、たとえば、特定のアーティストか否かを判断してもよい。
【００２８】
また、図２のフローチャートにおいては、ステップＳ２０３において、取得対象コンテンツの属性に基づいて、最適なコンテンツ提供サービス元を選択するとしているが、これに限るものではない。具体的には、たとえば、視聴または聴取予定の装置に基づいて選択してもよいし、両者に基づいて選択してもよい。また、コンテンツ提供サービス元が３つ以上ある場合は、それぞれに優先順位を付けてもよい。さらに、特定のアーティストの場合は、例外的な優先順位にしてもよい。より具体的には、特定のアーティストの場合は、ＣＤ販売サービス元を選択してもよい。
【００２９】
また、図２のフローチャートにおいては、ステップＳ２０４において、取得対象コンテンツを取得するとしているが、たとえば、ステップＳ２０３において選択されたコンテンツ提供サービス元から、何らかの事情で取得できない場合、つぎに優先順位の高いコンテンツ提供サービス元から取得対象コンテンツを取得してもよい。
【００３０】
上述したように、本実施の形態のコンテンツ取得装置１００によれば、受付部１０１によって受け付けられた取得対象コンテンツの取得に関する情報から、判断部１０２によって取得対象コンテンツの属性を判断し、判断された取得対象コンテンツの属性に基づいて、選択部１０３によって最適なコンテンツ提供サービス元を選択する。そして、選択部１０３によって選択されたコンテンツ提供サービス元から、取得部１０４によって取得対象コンテンツを取得する。したがって、複数のコンテンツ提供サービス元の中から、取得対象コンテンツの属性に基づいた、最適なコンテンツ提供サービス元からコンテンツを取得することができる。これによって、利用者は、たとえば、自身でそれぞれのサービスの比較をしなくても、コンテンツのジャンルなどによって、最適なサービス元からダウンロードすることができるため、簡単にコンテンツを取得できる。
【００３１】
また、本実施の形態のコンテンツ取得装置１００によれば、受付部１０１によって他の装置から取得対象コンテンツの取得に関する情報を受け付けることができる。したがって、ナビゲーション装置などの直接サーバなどからコンテンツの取得をおこなわない装置においても購入要求をすることができる。これによって、利用者は、たとえば、車両によって移動中に取得したいコンテンツが見つかっても、コンテンツを取得することができるため、あとで、曲名などがわからなく、コンテンツの取得ができなくなることが無くなり、簡単にコンテンツを取得できる。
【００３２】
また、本実施の形態のコンテンツ取得装置１００によれば、選択部１０３は、あらかじめ定められた属性ごとの優先順位によって最適なコンテンツ提供サービス元を選択することができる。したがって、取得対象コンテンツの属性ごとに設定された優先順位によって最適なコンテンツ提供サービス元から順番付けることができる。これによって、利用者は、たとえば、最適なコンテンツ提供サービス元からコンテンツを取得できない場合、つぎに最適なコンテンツ提供サービス元からコンテンツを取得することができるため、取得対象コンテンツの含まれるコンテンツ提供サービス元の中で、最適なコンテンツ提供サービス元からコンテンツを取得することができる。
【００３３】
また、本実施の形態のコンテンツ取得装置１００によれば、判断部１０２によって取得対象コンテンツの属性を、取得対象コンテンツの取得に関する情報に含まれるジャンルまたはアーティストの情報によって判断することができる。したがって、たとえば、特定のジャンルや特定のアーティストの場合、特異な優先順位を設定することができる。これによって、利用者は、たとえば、特に気に入っているジャンルやアーティストに関しては、高音質のコンテンツを取得したり、ＣＤ／ＤＶＤなどの購入によって取得したりすることができる。
【００３４】
また、本実施の形態のコンテンツ取得装置１００によれば、選択部１０３によって取得対象コンテンツの購入価格に基づいて、最適なコンテンツ提供サービス元を選択することができる。したがって、同じコンテンツの中で、最も価格の安いコンテンツを購入することができる。これによって、利用者は、たとえば、ポップスなどしばらくの間のみ聴取したいコンテンツなどを、安価で購入することができる。また、コンテンツ取得装置１００は、価格に応じた配信方法を選択することもできる。具体的には、コンテンツをダウンロードして購入する配信方式よりも所定の料金を支払ってコンテンツをストリーミングにより視聴する配信方式の方が安価であったり、無料のストリーミングサービスがあれば、ストリーミングにより視聴する配信方式を選択するようにしてもよい。
【００３５】
また、本実施の形態のコンテンツ取得装置１００によれば、選択部１０３によって取得対象コンテンツを視聴または聴取する装置ごとに設定された属性や優先順位に基づいて、最適なコンテンツ提供サービス元を選択することができる。したがって、たとえば、視聴または聴取する装置ごとに再生能力が異なる場合、再生能力に合致したコンテンツを取得することができる。これによって、利用者は、たとえば、装置の再生能力では再生しきれない高音質のコンテンツを取得せず、購入価格や記録容量を節約することができる。
【００３６】
また、本実施の形態のコンテンツ取得装置１００によれば、判断部１０２によって判断された取得対象コンテンツの圧縮方法や圧縮率に基づいて、選択部１０３によって最適なコンテンツ提供サービス元を選択することができる。したがって、たとえば、視聴または聴取する装置ごとに記録容量が異なる場合、装置ごとの記録容量に合致した圧縮率のコンテンツを取得することができる。これによって、利用者は、記録容量の少ない装置においても、多くのコンテンツを記録することができるため、快適にコンテンツを楽しむことができる。
【００３７】
また、本実施の形態のコンテンツ取得装置１００によれば、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得することができる。したがって、優先順位にしたがって順に取得対象コンテンツを含むコンテンツ提供サービス元を探すことができる。これによって、利用者は、取得対象コンテンツの含まれるコンテンツ提供サービス元の中で、最適なコンテンツ提供サービス元からコンテンツを取得することができる。
【実施例】
【００３８】
以下に、本発明の実施例について説明する。本実施例では、たとえば、家などにあり、通信環境の整ったＰＣなどによって、本発明のコンテンツ取得装置を実施した場合の一例について説明する。
【００３９】
（楽曲取得システムの概要）
まず、図３を用いて、本実施例にかかるコンテンツの取得の一例として楽曲を取得する楽曲取得システムの概要について説明する。図３は、本実施例にかかる楽曲取得システムの概要を示す説明図である。
【００４０】
図３において、楽曲取得システム３００は、楽曲提供サービス元である各サーバ（Ａサーバ３０１、Ｂサーバ３０２、Ｃサーバ３０３）と、ＰＣ３０４と、ナビゲーション装置３０５と、から構成されている。Ａサーバ３０１と、Ｂサーバ３０２と、Ｃサーバ３０３と、ＰＣ３０４と、ナビゲーション装置３０５とは、それぞれインターネット３１０を介して接続されており、ＰＣ３０４と、ナビゲーション装置３０５とは、有線で接続されてもよい。また、ＰＣ３０４と、ナビゲーション装置３０５とは、それぞれ同一の利用者が所有していることとする。
【００４１】
なお、図３の説明においては、ＰＣ３０４と、ナビゲーション装置３０５とは、同一の利用者が所有することとしたが、それぞれ異なっていてもよく、その場合、それぞれが友人や家族など利用者によって把握可能な所有としてもよい。また、図３の説明においては、ＰＣ３０４は、楽曲提供サービス元である各サービスから楽曲の取得可能な装置とし、ナビゲーション装置３０５は、ＰＣ３０４を介して楽曲の取得ができる装置とする。さらに、ＰＣ３０４は、通信環境の整った装置であり、ナビゲーション装置３０５は、通信環境が不安定な装置であるとする。
【００４２】
楽曲提供サービス元である各サービスは、たとえば、それぞれサービスの種類が異なっていてもよい。具体的には、たとえば、Ａサーバ３０１がサブスクリプションサービスサーバ、Ｂサーバ３０２がコンテンツ販売サービスサーバ、Ｃサーバ３０３がＣＤ販売サービスサーバなどというように、異なるサービスを提供するサーバでもよい。また、各サーバは、たとえば、それぞれが異なる事業者によって提供されている同種類のサービスでもよい。具体的には、たとえば、Ａサーバ３０１、Ｂサーバ３０２、Ｃサーバ３０３がすべてコンテンツ販売サービスを提供しており、それぞれが異なる事業者のため同楽曲でも価格、圧縮方法、圧縮率、音質が異なることとしてもよい。
【００４３】
また、楽曲提供サービス元である各サービスは、利用者との間における、所定の楽曲の提供に関する契約に基づいて、利用者の所有するＰＣ３０４へ楽曲を提供してもよい。また、提供された楽曲には複製を許可する情報や、複製数を制限する情報が付与されていてもよい。そして、楽曲を取得したＰＣ３０４は、許可された複製数内であれば複製を生成し、他の端末に対して複製を送信することができるとしてもよい。また、複製は、許可された複製数内であれば、元の楽曲からだけでなく、複製から生成してもよい。
【００４４】
ＰＣ３０４は、家などの通信環境が整った場所にあり、楽曲の取得要求を受け付けると、ネットワークを介してサーバから楽曲を取得する。楽曲の取得は、たとえば、自装置の備える入力デバイスなどによる利用者の操作により、取得要求を受け付ける。または、他の装置、たとえば、ナビゲーション装置３０５などから取得要求を受け付けてもよい。本発明においては、ＰＣ３０４によって楽曲を取得する際に、楽曲を提供している様々なサーバから、楽曲や聴取する装置に応じた最適なサービスを提供しているサーバを選択し、このサーバから優先的に楽曲を取得する方法を説明する。
【００４５】
ナビゲーション装置３０５は、車両など移動体に搭載されており、車両の経路誘導などをおこなう他に、記録媒体に記録された楽曲の再生をおこなう。ナビゲーション装置３０５は、たとえば、楽曲の再生中などに購入したい楽曲があった場合、入力デバイスなどの操作により、ＰＣ３０４へ購入対象楽曲の特定情報および購入要求を送信する。また、たとえば、通信ができない場合は、購入対象楽曲の特定情報および購入要求を記録しておき、通信可能になったときに送信するか、ＰＣ３０４に有線で接続することで送信する。
【００４６】
（コンピュータ装置のハードウェア構成）
つぎに、図４を用いて、図３に示した楽曲提供サービス元である各サーバ（Ａサーバ３０１、Ｂサーバ３０２、Ｃサーバ３０３）やＰＣ３０４などのコンピュータ装置のハードウェア構成について説明する。図４は、図３に示したコンピュータ装置のハードウェア構成の一例を示すブロック図である。
【００４７】
図４において、コンピュータ装置は、それぞれＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、を備えている。また、各構成部４０１〜４１４はバス４２０によってそれぞれ接続されている。
【００４８】
まず、ＣＰＵ４０１は、コンピュータ装置の全体の制御を司る。ＲＯＭ４０２は、ブートプログラム、通信プログラム、データ管理プログラム、有効期間設定プログラムなどの各種プログラムを記録している。また、ＲＡＭ４０３は、ＣＰＵ４０１のワークエリアとして使用される。
【００４９】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００５０】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。
【００５１】
音声Ｉ／Ｆ４０８は、音声入力用のマイク４０９および音声出力用のスピーカ４１０に接続される。マイク４０９に受音された音声は、音声Ｉ／Ｆ４０８内でＡ／Ｄ変換される。スピーカ４１０からは、音声が出力される。
【００５２】
入力デバイス４１１は、文字、数値、各種指示などの入力のための複数のキーを備えたリモコン、キーボード、マウス、タッチパネルなどが挙げられる。
【００５３】
映像Ｉ／Ｆ４１２は、ディスプレイ４１３と接続される。映像Ｉ／Ｆ４１２は、具体的には、たとえば、ディスプレイ４１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１３を表示制御する制御ＩＣなどによって構成される。
【００５４】
ディスプレイ４１３には、アイコン、カーソル、メニュー、ウインドウ、あるいは文字や画像などの各種データが表示される。このディスプレイ４１３は、たとえば、ＣＲＴ、ＴＦＴ液晶ディスプレイ、プラズマディスプレイなどを採用することができる。
【００５５】
通信Ｉ／Ｆ４１４は、無線を介してネットワークに接続され、楽曲提供サービス元である各サーバまたはＰＣ３０４と、ＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。
【００５６】
通信網には、ＬＡＮ、ＷＡＮ、公衆回線網や携帯電話網などがある。具体的には、通信Ｉ／Ｆ４１４は、たとえば、ＦＭチューナーなどによって構成される。
【００５７】
図１に示したコンテンツ取得装置１００が備える受付部１０１、判断部１０２、選択部１０３、取得部１０４は、図４に示したＰＣ３０４におけるＲＯＭ４０２、ＲＡＭ４０３、磁気ディスク４０５、光ディスク４０７などに記録されたプログラムやデータを用いて、ＣＰＵ４０１が所定のプログラムを実行し、ＰＣ３０４における各部を制御することによってその機能を実現する。
【００５８】
すなわち、本実施例のＰＣ３０４は、ＰＣ３０４おける記録媒体としてのＲＯＭ４０２に記録されているコンテンツ更新管理プログラムを実行することにより、図１に示したコンテンツ取得装置１００が備える機能を、図２に示したコンテンツ取得処理手順で実行することができる。
【００５９】
（ナビゲーション装置のハードウェア構成）
つぎに、ナビゲーション装置３０５のハードウェア構成について説明する。ナビゲーション装置３０５のハードウェア構成は、ＧＰＳユニットと、各種センサと、カメラと、を備えている点で図４に示したコンピュータ装置と異なる。なお、ナビゲーション装置３０５のハードウェア構成については、コンピュータ装置のハードウェア構成と異なる点のみ図示せず説明して、同一部分の説明は省略する。
【００６０】
ＧＰＳユニットは、ＧＰＳ衛星からの電波を受信し、車両の現在位置を示す情報を出力する。ＧＰＳユニットの出力情報は、後述する各種センサの出力値とともに、ＣＰＵ４０１による車両の現在位置の算出に際して利用される。現在位置を示す情報は、たとえば緯度・経度、高度などの、地図データ上の１点を特定する情報である。
【００６１】
各種センサは、車速センサ、加速度センサ、角速度センサなどの、車両の位置や挙動を判断するための情報を出力する。各種センサの出力値は、ＣＰＵ４０１による車両の現在位置の算出や、速度や方位の変化量の算出に用いられる。
【００６２】
カメラは、車両内部あるいは外部の映像を撮影する。映像は静止画あるいは動画のどちらでもよく、たとえば、カメラによって車両内部の搭乗者の挙動を撮影し、撮影した映像を映像Ｉ／Ｆ４１２を介して磁気ディスク４０５や光ディスク４０７などの記録媒体に出力する。また、カメラによって車両外部の状況を撮影し、撮影した映像を映像Ｉ／Ｆ４１２を介して磁気ディスク４０５や光ディスク４０７などの記録媒体に出力する。また、カメラは、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。
【００６３】
（楽曲提供サービス元である各サーバに関するデータベースの一例）
つぎに、図５を用いて、楽曲提供サービス元である各サーバの一例について説明する。図５は、楽曲提供サービス元である各サーバに関するデータベースの一例について説明した説明図である。図５においては、楽曲提供サービス元である各サーバ（Ａサーバ３０１、Ｂサーバ３０２、Ｃサーバ３０３）は、異なる事業者によるコンテンツ販売サービスを提供していることとする。図５に示した楽曲提供サービス元である各サーバに関するデータベース５００は、価格欄５０１と、圧縮率欄５０２と、音質欄５０３と、を含んでいる。
【００６４】
価格欄５０１は、各サーバにおける購入対象となる購入対象楽曲に対する価格の情報を示している。価格欄５０１の情報は、１曲あたりの価格の情報でもよいし、取得対象楽曲に特化した価格の情報でもよい。また、複数の楽曲を同時に購入する場合は、曲数に応じた割引などを考慮した情報でもよい。データベース５００においては、Ａサーバ３０１の提供する楽曲の価格が最も高く、「高」が記録されている。そして、つぎに価格の高いＢサーバ３０２には、「中」が記録され、最も価格の安いＣサーバ３０３には、「低」が記録されている。
【００６５】
圧縮率欄５０２は、各サーバにおける購入対象楽曲の圧縮率の情報を示している。圧縮率は、たとえば、圧縮率が低い低圧縮率の場合、楽曲データの容量は大きくなる。また、圧縮率に加え圧縮方法を考慮してもよい。データベース５００においては、Ａサーバ３０１の圧縮率が最も低く、「低圧縮」が記録されている。そして、つぎに圧縮率の低いＢサーバ３０２には、「中圧縮」が記録され、最も圧縮率の高いＣサーバ３０３には、「高圧縮」が記録されている。
【００６６】
音質欄５０３は、各サーバにおける購入対象楽曲の音質の情報を示している。音質欄５０３は、たとえば、提供するコンテンツが映像情報の場合、音質に加え画質を考慮してもよい。データベース５００においては、Ａサーバ３０１の音質が最も良く、「良」が記録されている。そして、つぎに音質の良いＢサーバ３０２には、「中」が記録され、最も音質の悪いＣサーバ３０３には、「劣」が記録されている。
【００６７】
なお、図５に示したデータベース５００は、たとえば、新しいコンテンツ販売サービス元を増やしたい場合は、追加することができる。データベース５００の追加は、利用者による操作の入力を受け付けてもよいし、新しいサービス元を選択したら自動的に取得するようにしてもよい。
【００６８】
（購入対象コンテンツの属性による各サーバの優先順位に関するデータベースの一例）
つぎに、図６を用いて、購入対象コンテンツの属性による各サーバの優先順位に関するデータベース６００の一例について説明する。図６は、購入対象コンテンツの属性による各サーバの優先順位に関するデータベースの一例について説明した説明図である。
【００６９】
図６においては、データベース６００は、楽曲のジャンル６０１および楽曲を聴取する聴取装置６０２ごとの、図５において示した各サーバの優先順位６０３を示している。優先順位６０３は、図５に示したデータベース５００に基づいて決定してもよいし、利用者によって設定可能であってもよい。また、たとえば、過去に各ジャンル６０１、各聴取装置６０２において購入した履歴を考慮してもよい。
【００７０】
図６においては、たとえば、ジャンル６０１が「クラシック」または「ジャズ」の場合、音質を重視した優先順位６０３を設定する。具体的には、たとえば、図５において示したデータベース５００の音質欄５０３に基づいて、優先順位６０３を、Ａサーバ３０１、Ｂサーバ３０２、Ｃサーバ３０３の順に設定する。また、たとえば、ジャンル６０１が「ポップス」の場合、価格を重視した優先順位６０３を設定する。具体的には、たとえば、図５において示したデータベース５００の価格欄５０１に基づいて、優先順位６０３を、Ｃサーバ３０３、Ｂサーバ３０２、Ａサーバ３０１の順に設定する。
【００７１】
また、たとえば、聴取装置６０２が「ＰＣ３０４」の場合、記録媒体の記録容量が多く、楽曲の再生能力も高いので、音質を重視した優先順位６０３を設定する。具体的には、たとえば、図５において示したデータベース５００の音質欄５０３に基づいて、優先順位６０３を、Ａサーバ３０１、Ｂサーバ３０２、Ｃサーバ３０３の順に設定する。また、たとえば、聴取装置６０２が「ナビゲーション装置３０５」の場合、記録媒体の記録容量が少ないので、圧縮率５０２を重視した優先順位６０３を設定する。具体的には、たとえば、図５において示したデータベース５００の圧縮率欄５０２に基づいて、優先順位６０３を、Ｃサーバ３０３、Ｂサーバ３０２、Ａサーバ３０１の順に設定する。
【００７２】
（ＰＣの処理の内容）
つぎに、図７を用いて、ＰＣ３０４の処理の内容について説明する。図７は、ＰＣの処理の内容を示すフローチャートである。図７のフローチャートにおいて、まず、ナビゲーション装置３０５から通信Ｉ／Ｆ４１４を介して、購入対象楽曲に関する情報を受け付けるまで待機する（ステップＳ７０１：Ｎｏのループ）。ステップＳ７０１において、購入対象楽曲に関する情報を受け付けた場合（ステップＳ７０１：Ｙｅｓ）、入力デバイス４１１によって、購入要求を受け付けるまで待機する（ステップＳ７０２：Ｎｏのループ）。
【００７３】
ステップＳ７０２において、購入要求を受け付けた場合（ステップＳ７０２：Ｙｅｓ）、購入対象楽曲のジャンルを判断する（ステップＳ７０３）。また、ステップＳ７０２において受け付けた購入要求に基づいて、購入対象楽曲を聴取する予定の聴取装置を判断する（ステップＳ７０４）。そして、ステップＳ７０３において判断されたジャンルの情報と、ステップＳ７０４において判断された聴取装置の情報とに基づいて、楽曲提供サービスに対する優先順位を決定する（ステップＳ７０５）。
【００７４】
つぎに、ステップＳ７０５において決定された優先順位によって、最適な楽曲提供サービス元のサーバを選択する（ステップＳ７０６）。そして、ステップＳ７０６において、選択されたサーバから、購入対象楽曲を取得したか否かを判断する（ステップＳ７０７）。ステップＳ７０７において、購入対象楽曲を取得していないと判断された場合（ステップＳ７０７：Ｎｏ）、ステップＳ７０６において選択されたサーバのつぎに最適な楽曲提供サービス元のサーバを選択する（ステップＳ７０８）。つぎに、ステップＳ７０７に戻り、ステップＳ７０８において選択されたつぎに最適な楽曲提供サービス元のサーバから購入対象楽曲を取得したか否かを判断する。そして、購入対象楽曲を取得するまで処理を繰り返しおこない、ステップＳ７０７において購入対象楽曲を取得したと判断された場合（ステップＳ７０７：Ｙｅｓ）、そのまま一連の処理を終了する。
【００７５】
なお、図７のフローチャートにおいては、ステップＳ７０１：Ｎｏのループにおいて、ナビゲーション装置３０５から通信Ｉ／Ｆ４１４を介して、購入対象楽曲に関する情報を受け付けるまで待機するとしているが、これに限るものではない。具体的には、たとえば、自装置の入力デバイス４１１などから購入対象楽曲に関する情報を受け付けるまで待機してもよい。
【００７６】
また、図７のフローチャートにおいては、ステップＳ７０２：Ｎｏのループにおいて、入力デバイス４１１によって、購入要求を受け付けるまで待機するとしているが、これに限るものではない。具体的には、たとえば、ステップＳ７０１において受け付けた購入対象楽曲に関する情報に含まれている購入要求を抽出することで、受け付けてもよい。
【００７７】
また、図７のフローチャートにおいては、ステップＳ７０３において、購入対象楽曲のジャンルを判断し、ステップＳ７０４において、聴取装置を判断するとしているが、これに限るものではない。具体的には、たとえば、ステップＳ７０３またはステップＳ７０４のどちらか一方の処理をおこなえばよい。また、ステップＳ７０３およびステップＳ７０４の処理をおこなわず、特定のアーティストか否かの判断をしてもよいし、そのままステップＳ７０５へ進み、あらかじめ利用者によって定められた優先順位に決定してもよい。
【００７８】
また、図７のフローチャートにおいては、ステップＳ７０７において選択された最適な楽曲提供サービス元のサーバから、購入対象楽曲を取得した否かを判断するようにしているが、これに限るものではない。たとえば、ステップＳ７０２：Ｙｅｓにおいて購入対象要求を受け付けた後に、購入対象楽曲が提供可能（取得可能）な楽曲提供サービスを検索するステップを加えるようにすれば、そのステップＳ７０７以降のステップが不要となる。つまり、ステップＳ７０５において楽曲提供サービスに対する優先順位を決定するが、その検索された楽曲提供サービスを対象として優先順位を決定するようにする。そして、ステップＳ７０６において、その決定された優先順位によって最適な楽曲提供サービスを選択するようにし、その選択された楽曲提供サービスから購入対象楽曲を取得する、というステップをさらに加えれば、決定された優先順位の高い楽曲提供サービスから購入対象楽曲が取得できることとなり、ステップＳ７０７以降のステップが不要となる。
【００７９】
上述したように、本実施例のＰＣ３０４によれば、受付部１０１によって受け付けられた取得対象コンテンツの取得に関する情報から、判断部１０２によって取得対象コンテンツの属性を判断し、判断された取得対象コンテンツの属性に基づいて、選択部１０３によって最適なコンテンツ提供サービス元を選択する。そして、選択部１０３によって選択されたコンテンツ提供サービス元から、取得部１０４によって取得対象コンテンツを取得する。したがって、複数のコンテンツ提供サービス元の中から、取得対象コンテンツの属性に基づいた、最適なコンテンツ提供サービス元からコンテンツを取得することができる。これによって、利用者は、たとえば、自身でそれぞれのサービスの比較をしなくても、コンテンツのジャンルなどによって、最適なサービス元からダウンロードすることができるため、簡単にコンテンツを取得できる。
【００８０】
また、本実施例のＰＣ３０４によれば、受付部１０１によって他の装置から取得対象コンテンツの取得に関する情報を受け付けることができる。したがって、ナビゲーション装置３０５などの直接サーバなどからコンテンツの取得をおこなわない装置においても購入要求をすることができる。これによって、利用者は、たとえば、車両によって移動中に取得したいコンテンツが見つかっても、コンテンツを取得することができるため、あとで、曲名などがわからなく、コンテンツの取得ができなくなることが無くなり、簡単にコンテンツを取得できる。
【００８１】
また、本実施例のＰＣ３０４によれば、選択部１０３は、あらかじめ定められた属性ごとの優先順位によって最適なコンテンツ提供サービス元を選択することができる。したがって、取得対象コンテンツの属性ごとに設定された優先順位によって最適なコンテンツ提供サービス元から順番付けることができる。これによって、利用者は、たとえば、最適なコンテンツ提供サービス元からコンテンツを取得できない場合、つぎに最適なコンテンツ提供サービス元からコンテンツを取得することができるため、取得対象コンテンツの含まれるコンテンツ提供サービス元の中で、最適なコンテンツ提供サービス元からコンテンツを取得することができる。
【００８２】
また、本実施例のＰＣ３０４によれば、判断部１０２によって取得対象コンテンツの属性を、取得対象コンテンツの取得に関する情報に含まれるジャンルまたはアーティストの情報によって判断することができる。したがって、たとえば、特定のジャンルや特定のアーティストの場合、特異な優先順位を設定することができる。これによって、利用者は、たとえば、特に気に入っているジャンルやアーティストに関しては、高音質のコンテンツを取得したり、ＣＤ／ＤＶＤなどの購入によって取得したりすることができる。
【００８３】
また、本実施例のＰＣ３０４によれば、選択部１０３によって取得対象コンテンツの購入価格に基づいて、最適なコンテンツ提供サービス元を選択することができる。したがって、同じコンテンツの中で、最も価格の安いコンテンツを購入することができる。これによって、利用者は、たとえば、ポップスなどしばらくの間のみ聴取したいコンテンツなどを、安価で購入することができる。
【００８４】
また、本実施例のＰＣ３０４によれば、選択部１０３によって取得対象コンテンツを視聴または聴取する装置ごとに設定された属性や優先順位に基づいて、最適なコンテンツ提供サービス元を選択することができる。したがって、たとえば、視聴または聴取する装置ごとに再生能力が異なる場合、再生能力に合致したコンテンツを取得することができる。これによって、利用者は、たとえば、装置の再生能力では再生しきれない高音質のコンテンツを取得せず、購入価格や記録容量を節約することができる。
【００８５】
また、本実施例のＰＣ３０４によれば、判断部１０２によって判断された取得対象コンテンツの圧縮方法や圧縮率に基づいて、選択部１０３によって最適なコンテンツ提供サービス元を選択することができる。したがって、たとえば、視聴または聴取する装置ごとに記録容量が異なる場合、装置ごとの記録容量に合致した圧縮率のコンテンツを取得することができる。これによって、利用者は、記録容量の少ない装置においても、多くのコンテンツを記録することができるため、快適にコンテンツを楽しむことができる。
【００８６】
また、本実施例のＰＣ３０４によれば、取得部１０４は、選択部１０３によって選択されたコンテンツ提供サービス元から取得対象コンテンツを取得できない場合、選択部１０３によって当該コンテンツ提供サービス元のつぎの優先順位と判断されたコンテンツ提供サービス元から取得対象コンテンツを取得することができる。したがって、優先順位にしたがって順に取得対象コンテンツを含むコンテンツ提供サービス元を探すことができる。これによって、利用者は、取得対象コンテンツの含まれるコンテンツ提供サービス元の中で、最適なコンテンツ提供サービス元からコンテンツを取得することができる。
【００８７】
以上説明したように、本発明のコンテンツ取得装置、コンテンツ取得方法、コンテンツ取得プログラム、および記録媒体によれば、ＰＣ３０４において、購入対象楽曲の購入要求を受け付けた場合、楽曲のジャンルや楽曲を聴取する装置の属性に応じて、最適な楽曲提供サービスサーバから順に購入対象楽曲を取得していくことができる。これによって、利用者は、自身で複数の楽曲提供サービスサーバの検証をおこなわなくても、楽曲や装置の属性に合致した最適な音質または価格の楽曲を購入することができるため、検証の手間が省け、快適に楽曲の購入をおこなうことができる。
【００８８】
なお、本実施の形態で説明したコンテンツ取得方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８９】
１００  コンテンツ取得装置
１０１  受付部
１０２  判断部
１０３  選択部
１０４  取得部
【手続補正２】
【補正対象書類名】特許請求の範囲
【補正対象項目名】全文
【補正方法】変更
【補正の内容】
【特許請求の範囲】
【請求項１】
同じコンテンツであっても当該コンテンツに対する購入価格、圧縮率ならびに音質（以下、これらをまとめて「コンテンツ販売情報」という）が互いに異なるコンテンツ販売サービスを提供する複数のコンテンツ提供サービス元のいずれかから所定のコンテンツを取得するコンテンツ取得装置において、
取得対象となるコンテンツ（以下、「取得対象コンテンツ」という）を特定する特定情報を受け付ける受付手段と、
前記受付手段によって受け付けられた特定情報から前記取得対象コンテンツの属性を判断する判断手段と、
前記判断手段によって判断された属性と前記コンテンツ販売情報とに基づき、ユーザに対し前記複数のコンテンツ提供サービス元から前記取得対象コンテンツを取得するコンテンツ提供サービス元を選択させる選択手段と、
前記選択手段を用いて前記ユーザにより選択されたコンテンツ提供サービス元から前記取得対象コンテンツを取得する取得手段と、
を備えることを特徴とするコンテンツ取得装置。
【請求項２】
前記受付手段は、他の装置から取得対象コンテンツを特定する特定情報を受け付けることを特徴とする請求項１に記載のコンテンツ取得装置。
【請求項３】
前記選択手段は、あらかじめ定められた属性ごとの優先順位によってコンテンツ提供サービス元を選択することを特徴とする請求項１に記載のコンテンツ取得装置。
【請求項４】
前記属性は、前記取得対象コンテンツを特定する特定情報に含まれるジャンルまたはアーティストの情報であることを特徴とする請求項１に記載のコンテンツ取得装置。
【請求項５】
前記選択手段は、前記取得対象コンテンツを視聴または聴取する装置ごとに設定された属性や優先順位に基づいて、コンテンツ提供サービス元を選択することを特徴とする請求項３に記載のコンテンツ取得装置。
【請求項６】
前記選択手段は、前記判断手段によって判断された前記取得対象コンテンツの圧縮方法や圧縮率に基づいて、コンテンツ提供サービス元を選択することを特徴とする請求項５に記載のコンテンツ取得装置。
【請求項７】
前記取得手段は、前記選択手段によって選択されたコンテンツ提供サービス元から前記取得対象コンテンツを取得できない場合、前記選択手段によって当該コンテンツ提供サービス元のつぎの優先順位と判断されたコンテンツ提供サービス元から前記取得対象コンテンツを取得することを特徴とする請求項３に記載のコンテンツ取得装置。
【請求項８】
同じコンテンツであっても当該コンテンツに対する購入価格、圧縮率ならびに音質（以下、これらをまとめて「コンテンツ販売情報」という）が互いに異なるコンテンツ販売サービスを提供する複数のコンテンツ提供サービス元のいずれかから所定のコンテンツを取得するコンテンツ取得方法において、
取得対象となるコンテンツ（以下、「取得対象コンテンツ」という）を特定する特定情報を受け付ける受付工程と、
前記受付工程によって受け付けられた特定情報から前記取得対象コンテンツの属性を判断する判断工程と、
前記判断工程によって判断された属性と前記コンテンツ販売情報とに基づき、ユーザに対し前記複数のコンテンツ提供サービス元から前記取得対象コンテンツを取得するコンテンツ提供サービス元を選択させる選択工程と、
前記選択工程を用いて前記ユーザにより選択されたコンテンツ提供サービス元から前記取得対象コンテンツを取得する取得工程と、
を含むことを特徴とするコンテンツ取得方法。
【請求項９】
請求項８に記載のコンテンツ取得方法をコンピュータに実行させることを特徴とするコンテンツ取得プログラム。
【請求項１０】
請求項９に記載のコンテンツ取得プログラムを記録したことを特徴とするコンピュータに読み取り可能な記録媒体。
【国際調査報告】
2008096414.tif 000010
2008096414.tif 000011
2008096414.tif 000012
2008096414.tif 000013
2008096414.tif 000014
2008096414.tif 000015
2008096414.tif 000016
2008096414.tif 000017